(57)【要約】【課題】  特定の者に関係するデジタル文書情報のみを抽出し、訴訟の証拠資料作成のための作業負荷の軽減を図ることができる。【解決手段】  記録されたデジタル情報を表示し、複数の文書ファイル毎に、利用者情報に含まれる利用者のうちいずれの利用者に関連するものであるかを示す利用者特定情報を設定し、該設定された利用者特定情報を記憶部に記録するように設定し、少なくとも一人以上の利用者を指定し、指定された利用者に対応する利用者特定情報が設定された文書ファイルを検索し、表示部を介して、検索された文書ファイルが、訴訟に関連するものであるか否かを示す付帯情報を設定し、付帯情報に基づき、訴訟に関連する文書ファイルを出力する。【選択図】        図１
2011209931.tif 000002
【特許請求の範囲】
【請求項１】
複数のコンピュータまたはサーバに記録されたデジタル情報を取得し、該取得されたデジタル情報を分析するフォレンジックシステムにおいて、
複数の文書ファイルにより構成されるデジタル文書情報と、前記複数のコンピュータまたはサーバを利用する利用者に関する利用者情報とを含むデジタル情報を取得するデジタル情報取得部と、
前記デジタル情報取得部により取得されたデジタル情報を記録する記録部と、
前記記録されたデジタル情報を表示する表示部と、
前記表示部を介して、前記複数の文書ファイル毎に、前記利用者情報に含まれる利用者のうちいずれの利用者に関連するものであるかを示す利用者特定情報を設定し、該設定された利用者特定情報を前記記憶部に記録するように設定する利用者特定情報設定部と、
前記表示部を介して、少なくとも一人以上の利用者を指定する利用者指定部と、
前記指定された利用者に対応する利用者特定情報が設定された文書ファイルを検索する検索部と、
前記表示部を介して、前記検索された文書ファイルが、訴訟に関連するものであるか否かを示す付帯情報を設定する付帯情報設定部と、
前記付帯情報に基づき、訴訟に関連する文書ファイルを出力する出力部とを備えたことを特徴とするフォレンジックシステム。
【請求項２】
前記利用者特定情報設定部が、前記文書ファイルに対して、複数の利用者が関連するものであることを示す利用者特定情報を設定するものであることを特徴とする請求項１記載のフォレンジックシステム。
【請求項３】
前記利用者情報設定部が、前記文書ファイルに対して、前記複数の利用者が関連するものであることと、前記複数の利用者それぞれの相対的な訴訟に関連する度合いの順位を示す順位付け情報とを利用者特定情報に設定することができることを特徴とする請求項２記載のフォレンジックシステム。
【請求項４】
前記利用者指定部が、更に、前記順位付け情報の順位を指定するものであって、
前記検索部が、前記指定された順位を有する利用者に対応する利用者特定情報が設定された文書ファイルを検索することを特徴とする請求項３記載のフォレンジックシステム。
【請求項５】
前記デジタル情報取得部は、前記サーバとは異なる第二のサーバに記録された、第二のデジタル文書情報および第二の利用者情報を含む第二のデジタル情報を取得するものであって、
前記フォレンジックシステムは、前記デジタル文書情報のみならず、前記第二のデジタル文書情報を構成する複数の文書ファイルを検索することを特徴とする請求項１から４いずれか１項記載のフォレンジックシステム。
【請求項６】
前記フォレンジックシステムは、更に、
前記記録されたデジタル文書情報から、前記複数の文書ファイル毎にテキスト情報を抽出するテキスト情報抽出部と、
キーワードを指定するキーワード指定部とを備え、
前記検索部が、前記抽出されたテキスト情報に基づいて、前記指定されたキーワードを含む文書ファイルを検索し、
前記付帯情報設定部が、前記検索された文書ファイルに対して、付帯情報を設定することを特徴とする請求項１から５いずれか１項記載のフォレンジックシステム。
【請求項７】
前記フォレンジックシステムは、更に、
前記記録部により記録されたデジタル文書情報の文書ファイルを所定のデータ形式に変換するデータ変換部を備え、
前記データ変換部により変換された文書ファイルが、前記出力部により出力される前までの間、変換されたデータ形式と同一のまま処理されることを特徴とする請求項１から６いずれか１項記載のフォレンジックシステム。
【請求項８】
前記フォレンジックシステムは、更に、
前記取得されたデジタル文書情報のデータ形式毎のデータ容量から表わされる統計データ、または前記検索されたデジタル文書情報のデータ形式毎のデータ容量から表わされる統計データを作成する統計データ作成部を備えたことを特徴とする請求項１から７いずれか１項記載のフォレンジックシステム。
【請求項９】
前記フォレンジックシステムが、更に、
改めてデジタル情報を取得する際に、その取得する日時を計時する計時部を備え、デジタル情報は、更にデジタル文書情報を保管するフォルダ情報を備えるものであって、
前記デジタル情報取得部は、以前に前記計時部により計時された日時より以後に作成された、デジタル文書情報およびフォルダ情報を取得し、該取得されたデジタル文書情報に関連する利用者情報を取得するものであることを特徴とする請求項１から８いずれか１項記載のフォレンジックシステム。
【請求項１０】
前記フォレンジックシステムは、複数のオペレータが同時に利用できるものであって、
前記付帯情報設定部は、異なるオペレータにより付帯情報を設定することができることを特徴とする請求項１から９いずれか１項記載のフォレンジックシステム。
【請求項１１】
前記出力部は、プリンタ、デジタル文書ファイル作成装置のいずれかであることを特徴とする請求項１から１０いずれか１項記載のフォレンジックシステム。
【請求項１２】
複数のコンピュータまたはサーバに記録されたデジタル情報を取得し、該取得されたデジタル情報を分析するフォレンジック方法において、
複数の文書ファイルにより構成されるデジタル文書情報と、前記複数のコンピュータまたはサーバを利用する利用者に関する利用者情報とを含むデジタル情報を取得するステップと、
前記デジタル情報取得部により取得されたデジタル情報を記録するステップと、
前記記録されたデジタル情報を表示するステップと、
前記複数の文書ファイル毎に、前記利用者情報に含まれる利用者のうちいずれの利用者に関連するものであるかを示す利用者特定情報を設定し、該設定された利用者特定情報を前記記憶部に記録するように設定するステップと、
少なくとも一人以上の利用者を指定するステップと、
前記指定された利用者に対応する利用者特定情報が設定された文書ファイルを検索するステップと、
前記検索された文書ファイルが、訴訟に関連するものであるか否かを示す付帯情報を設定するステップと、
前記付帯情報に基づき、訴訟に関連する文書ファイルを出力することを特徴とするフォレンジック方法。
【請求項１３】
複数のコンピュータまたはサーバに記録されたデジタル情報を取得し、該取得されたデジタル情報を分析するフォレンジックプログラムにおいて、
コンピュータが、
複数の文書ファイルにより構成されるデジタル文書情報と、前記複数のコンピュータまたはサーバを利用する利用者に関する利用者情報とを含むデジタル情報を取得する機能と、
前記デジタル情報取得部により取得されたデジタル情報を記録する機能と、
前記記録されたデジタル情報を表示する機能と、
前記複数の文書ファイル毎に、前記利用者情報に含まれる利用者のうち、いずれの利用者に関連するものであるかを示す利用者特定情報を設定し、該設定された利用者特定情報を前記記憶部に記録するように設定する機能と、
少なくとも一人以上の利用者を指定する機能と、
前記指定された利用者に対応する利用者特定情報が設定された文書ファイルを検索する機能と
前記検索された文書ファイルが、訴訟に関連するものであるか否かを示す付帯情報を設定する機能と、
前記付帯情報に基づき、訴訟に関連する文書ファイルを出力する機能とを実現させることを特徴とするフォレンジックプログラム。
【発明の詳細な説明】
【技術分野】
【０００１】
本発明はフォレンジックシステム及びフォレンジック方法並びにフォレンジックプログラムに関し、特に訴訟に関連するデジタル文書情報を収集するためのフォレンジックシステム及びフォレンジック方法並びにフォレンジックプログラムに関するものである。
【背景技術】
【０００２】
従来、フォレンジックという不正アクセスや機密情報漏洩などコンピュータに関する犯罪や法的紛争が生じた際に、原因究明や捜査に必要な機器やデータ、電子的記録を収集・分析し、その法的な証拠性を明らかにする手段や技術が提案されている。
【０００３】
特に、米国民事訴訟では、ｅＤｉｓｃｏｖｅｒｙ（電子証拠開示）等が求められており、当該訴訟の原告および被告のいずれもが、関連するデジタル情報をすべて証拠として提出する責任を負うため、コンピュータやサーバに記録されたデジタル情報を証拠として、提出しなければならない。
【０００４】
一方、ＩＴの急速な発達と普及に伴い、今日のビジネスの世界ではほとんどの情報がコンピュータで作成されているため、同一企業内であっても多くのデジタル情報が氾濫している。
【０００５】
そのため、法廷への証拠資料提出のための準備作業を行う過程において、当該訴訟に必ずしも関連しない機密なデジタル情報までも証拠資料として含めてしまうミスが生じやすく、当該訴訟に関連しない機密なデジタル情報を提出してしまうことが問題になっていた。
【０００６】
近年、フォレンジックシステムに関する技術が、特許文献１および特許文献２に提案されている。特許文献１には、証拠性保持の証明が可能な方法で不正行為者の特定が効率的に実施でき、その特定の信頼性が人的要素に影響され難いフォレンジックシステムについて開示されている。
【０００７】
また、特許文献２には、個人情報の漏洩による損害に対して保険金を支払う情報損害保険システムであって、犯人の特定及び法的措置という事後対応を行うフォレンジックを損害補填の内容とするフォレンジックシステムについて開示されている。
【先行技術文献】
【特許文献】
【０００８】
【特許文献１】特開２００６−１７８５２１公報
【０００９】
【特許文献２】特開２００７−１４８７３１公報
【発明の概要】
【発明が解決しようとする課題】
【００１０】
しかしながら、例えば、特許文献１および特許文献２のようなフォレンジックシステムでは、複数のコンピュータおよびサーバを利用した利用者の膨大なデジタル文書情報を収集することになる。
【００１１】
オペレータが、どの利用者により利用（作成・編集・閲覧）されたデジタル文書情報であるか正確に把握できていない状況下で、当該収集された全てのデジタル文書情報を、訴訟の証拠資料として妥当であるか否かの判別をする作業は、多大な労力と費用がかかるという問題があった。
【００１２】
そこで、本発明は、上記事情に鑑み、デジタル文書情報を収集した後に、デジタル文書情報に対して、どの利用者に関連するものであるかを設定することを可能とするフォレンジックシステム及びフォレンジック方法並びにフォレンジックプログラムを提供することを目的とするものである。
【課題を解決するための手段】
【００１３】
本発明のフォレンジックシステムは、複数のコンピュータまたはサーバに記録されたデジタル情報を取得し、該取得されたデジタル情報を分析するフォレンジックシステムにおいて、複数の文書ファイルにより構成されるデジタル文書情報と、複数のコンピュータまたはサーバを利用する利用者に関する利用者情報とを含むデジタル情報を取得するデジタル情報取得部と、デジタル情報取得部により取得されたデジタル情報を記録する記録部と、記録されたデジタル情報を表示する表示部と、表示部を介して、複数の文書ファイル毎に、利用者情報に含まれる利用者のうちいずれの利用者に関連するものであるかを示す利用者特定情報を設定し、該設定された利用者特定情報を記憶部に記録するように設定する利用者特定情報設定部と、表示部を介して、少なくとも一人以上の利用者を指定する利用者指定部と、指定された利用者に対応する利用者特定情報が設定された文書ファイルを検索する検索部と、表示部を介して、検索され、抽出された文書ファイルが、訴訟に関連するものであるか否かを示す付帯情報を設定する付帯情報設定部と、付帯情報に基づき、訴訟に関連する文書ファイルを出力する出力部とを備えたことを特徴とするものである。
【００１４】
「利用者特定情報設定部」は、表示部を介して、複数の文書ファイル毎に、利用者情報に含まれる利用者のうちいずれの利用者に関連するものであるかを示す利用者特定情報を設定し、該設定された利用者特定情報を記憶部に記録するものである。文書ファイル毎にどの利用者が利用されたものであるかを設定するものである。
【００１５】
なお、「利用者特定情報設定部」は、複数のコンピュータおよびサーバに記録鵜された利用者情報では必ずしも訴訟に関連する利用者を網羅することができない場合があるため、オペレータの指示により、新たな利用者を手動により追加設定してもよい。例えば、「利用者特定情報設定部」は、文書ファイルに対して、複数の利用者が関連するものであることを示す利用者特定情報を設定するものであってもよい。一つの文書ファイルが一人の利用者に関連するものとして設定してもよいし、一つの文書ファイルに対して、複数の利用者が利用するものであるように設定してもよい。また、「利用者特定情報設定部」は、文書ファイルに対して、複数の利用者が関連するものであることと、複数の利用者それぞれの相対的な訴訟に関連する度合いの順位を示す順位付け情報とを利用者情報に設定することができるものであってもよい。一つの文書ファイルに複数の利用者を設定しつつ、その設定された利用者間でどの利用者が、訴訟において関連性が高いかを示す順位を設定することができる。また、「利用者特定情報設定部」が、更に、順位付け情報の順位を指定するものであって、検索部が、指定された順位を有する利用者に対応する利用者特定情報が設定された文書ファイルを検索するものであってもよい。
【００１６】
「デジタル情報取得部」は、複数のコンピュータまたはサーバに記録されたデジタル情報を取得するものであって、取得する方法としては、例えば、上記コンピュータまたはサーバに記録されたデジタル情報をある電子媒体にコピーし、当該電子媒体を介してフォレンジックシステムにコピーさせるか、もしくは上記コンピュータまたはサーバと、フォレンジックシステムをネットワーク回線を介して接続し、コンピュータまたはサーバに記録されたデジタル情報をフォレンジックシステムにデジタル情報をコピーする等により、デジタル情報の保全収集を行う。また、この「デジタル情報取得部」は、サーバとは異なる第二のサーバに記録された、第二のデジタル文書情報および第二の利用者情報を含む第二のデジタル情報を取得するものであって、フォレンジックシステムは、デジタル文書情報のみならず、第二のデジタル文書情報を構成する複数の文書ファイルを検索するものであってもよい。
【００１７】
本発明のフォレンジックシステムは、更に、記録されたデジタル文書情報から、複数の文書ファイル毎にテキスト情報を抽出するテキスト情報抽出部と、キーワードを指定するキーワード指定部とを備え、検索部が、抽出されたテキスト情報に基づいて、指定されたキーワードを含む文書ファイルを検索し、付帯情報設定部が、検索された文書ファイルに対して、付帯情報を設定するものであってもよい。
【００１８】
本発明のフォレンジックシステムは、更に、記録部により記録されたデジタル文書情報の文書ファイルを所定のデータ形式に変換するデータ変換部を備え、データ変換部により変換された文書ファイルが、出力部により出力される前までの間、変換されたデータ形式と同一のまま処理されることを特徴とするものであってもよい。
【００１９】
本発明のフォレンジックシステムは、更に、取得されたデジタル文書情報のデータ形式毎のデータ容量から表わされる統計データ、または検索されたデジタル文書情報のデータ形式毎のデータ容量から表わされる統計データを作成する統計データ作成部を備えたことを特徴とするものであってもよい。
【００２０】
本発明のフォレンジックシステムは、更に改めてデジタル情報を取得する際に、その取得する日時を計時する計時部を備え、デジタル情報は、更にデジタル文書情報を保管するフォルダ情報を備えるものであって、デジタル情報取得部は、以前に計時部により計時された日時より以後に作成された、デジタル文書情報およびフォルダ情報を取得し、取得されたデジタル文書情報に関連する利用者情報を取得するものであってもよい。
【００２１】
「サーバ」は、単数以上のサーバであって、例えば、複数のサーバにより構成されるものであってもよく、少なくともメールサーバ、ファイルサーバ、文書管理サーバのいずれか２つ以上であることを特徴とするものである。
【００２２】
本発明のフォレンジックシステムは、付帯情報設定部を複数備えたものであり、異なるオペレータにより付帯情報を設定することができることを特徴とするものである。
【００２３】
「表示部」は、デジタル情報を表示できるディスプレイ等をいう。また、「記録されたデジタル情報を表示する」というのは、利用者情報およびデジタル文書情報を全て表示してもよいし、それらの情報のうち少なくとも一つを表示してもよいし、それらの情報の属性情報（例えば、利用者の氏名、文書ファイルのファイル名、文書ファイル等）のうち少なくとも一つを表示してもよい。
【００２４】
「出力部」は、デジタル文書情報を何らかのプロダクションとして出力するものであって、例えば、プリンタ、デジタル文書ファイル作成装置のいずれかであればよい。
【００２５】
「利用者情報」は、コンピュータおよび／またはサーバに記録された利用者を示すものであって、コンピュータおよび／またはサーバを利用した者はだれであるかを示す利用者ＩＤであったり、文書ファイルを実際に編集、作成、閲覧いずれかの利用を行った者を示す情報であったり、どの時期にその利用者がどのデジタル文書情報にアクセスしたかを示すアクセス情報とを含むものであってもよい。
【００２６】
本発明のフォレンジック方法は、複数のコンピュータまたはサーバに記録されたデジタル情報を取得し、該取得されたデジタル情報を分析するフォレンジック方法において、複数の文書ファイルにより構成されるデジタル文書情報と、複数のコンピュータまたはサーバを利用する利用者に関する利用者情報とを含むデジタル情報を取得するステップと、デジタル情報取得部により取得されたデジタル情報を記録するステップと、記録されたデジタル情報を表示するステップと、複数の文書ファイル毎に、利用者情報に含まれる利用者のうちいずれの利用者に関連するものであるかを示す利用者特定情報を設定し、設定された利用者特定情報を記憶部に記録するように設定するステップと、少なくとも一人以上の利用者を指定するステップと、指定された利用者に対応する利用者特定情報が設定された文書ファイルを検索するステップと、検索された文書ファイルが、訴訟に関連するものであるか否かを示す付帯情報を設定するステップと、付帯情報に基づき、訴訟に関連する文書ファイルを出力することを特徴とする。
【００２７】
本発明のフォレンジックプログラムは、複数のコンピュータまたはサーバに記録されたデジタル情報を取得し、該取得されたデジタル情報を分析するフォレンジックプログラムにおいて、コンピュータが、複数の文書ファイルにより構成されるデジタル文書情報と、複数のコンピュータまたはサーバを利用する利用者に関する利用者情報とを含むデジタル情報を取得する機能と、デジタル情報取得部により取得されたデジタル情報を記録する機能と、記録されたデジタル情報を表示する機能と、複数の文書ファイル毎に、利用者情報に含まれる利用者のうち、いずれの利用者に関連するものであるかを示す利用者特定情報を設定し、該設定された利用者特定情報を記憶部に記録するように設定する機能と、少なくとも一人以上の利用者を指定する機能と、指定された利用者に対応する利用者特定情報が設定された文書ファイルを検索する機能と、検索された文書ファイルが、訴訟に関連するものであるか否かを示す付帯情報を設定する機能と、付帯情報に基づき、訴訟に関連する文書ファイルを出力する機能とを実現させるものである。
【００２８】
なお、上記の発明の概要は、本発明の必要な特徴の全てを列挙したものではない。また、これらの特徴群のサブコンビネーションもまた、発明となりうる。
【発明の効果】
【００２９】
本発明のフォレンジックシステム及びフォレンジック方法並びにフォレンジックプログラムによれば、複数の文書ファイル毎に、利用者情報に含まれる利用者のうちいずれの利用者に関連するものであるかを示す利用者特定情報を設定し、該設定された利用者特定情報を記憶部に記録するように設定し、少なくとも一人以上の利用者を指定し、指定された利用者に対応する利用者特定情報が設定された文書ファイルを検索し、表示部を介して、検索された文書ファイルが、訴訟に関連するものであるか否かを示す付帯情報を設定し、付帯情報に基づき、訴訟に関連する文書ファイルを出力することにより、取得された全てのデジタル文書情報を確認することなく、訴訟に関連する利用者毎に分類分けされたデジタル文書情報のみを抽出し、分析および確認することを可能にする。
【００３０】
これにより、氾濫するデジタル文書情報の中でも、特定の者に関係するデジタル文書情報のみを抽出し、訴訟の証拠資料作成のための作業負荷の軽減を図ることができる。
【００３１】
本発明のフォレンジックシステム及びフォレンジック方法並びにフォレンジックプログラムによれば、文書ファイルに対して、複数の利用者それぞれに関連するものであることを示す利用者特定情報を設定することにより、一つの文書ファイルに対して、複数の利用者が関連したものであることを設定することができる。
【００３２】
本発明のフォレンジックシステム及びフォレンジック方法並びにフォレンジックプログラムによれば、文書ファイルに対して、複数の利用者それぞれに関連するものであることと、複数の利用者それぞれの相対的な訴訟に関連する度合いの順位を示す順位付け情報とを利用者特定情報に設定するに際し、一つの文書ファイルに対して、複数の利用者が関連したものであることと、その複数の利用者間でどの利用者が、訴訟において関連性が高いかを示す順位を予め設定することができる。
【００３３】
本発明のフォレンジックシステム及びフォレンジック方法並びにフォレンジックプログラムによれば、検索部が、指定された順位を有する利用者に対応する利用者情報が設定された文書ファイルを検索するに際し、訴訟に関連する利用者であって、関連性の度合いの順位を踏まえて、利用者が関連するデジタル文書情報を検索することができる。
【００３４】
本発明のフォレンジックシステム及びフォレンジック方法並びにフォレンジックプログラムによれば、サーバとは異なる第二のサーバに記録された、第二のデジタル文書情報および第二の利用者情報を含む第二のデジタル情報を取得するものであって、デジタル文書情報のみならず、第二のデジタル文書情報を構成する複数の文書ファイルを検索するに際し、複数のサーバに記録されたデジタル文書情報を漏れなく、分析および確認することを可能にする。
【００３５】
本発明のフォレンジックシステム及びフォレンジック方法並びにフォレンジックプログラムによれば、更に、テキスト情報抽出部と、キーワード指定部と、検索部とを備え、付帯情報設定部が、検索された文書ファイルに対して、付帯情報を設定するに際し、サーバに記録されたデジタル文書情報のうち、特定の者がアクセスしたもののみであって、所定の検索により、訴訟に関連する可能性のあるデジタル文書情報の母集団を絞り込むことが可能になる。
【００３６】
本発明のフォレンジックシステム及びフォレンジック方法並びにフォレンジックプログラムによれば、データ変換部により変換された文書ファイルが、出力部により出力される前までの間、変換されたデータ形式と同一のまま処理されるに際し、処理フローの中途でのデータフォーマット変換の無駄な工程を削減でき、デジタル文書情報の品質劣化のリスクを排除することができる。
【００３７】
本発明のフォレンジックシステム及びフォレンジック方法並びにフォレンジックプログラムによれば、更に、統計データ作成部を備えた際に、統計データをオペレータに可視化して提供できるため、訴訟準備に要する労力を早期に把握することができる。
【００３８】
本発明のフォレンジックシステム及びフォレンジック方法並びにフォレンジックプログラムによれば、更に、デジタル情報取得部は、以前に計時部により計時された日時より以後に作成された、デジタル文書情報およびフォルダ情報を取得するに際し、デジタル情報の差分収集を可能とし、毎回サーバ等から同一のデジタル情報を重複して取得する負荷を軽減することができる。
【００３９】
本発明のフォレンジックシステム及びフォレンジック方法並びにフォレンジックプログラムによれば、付帯情報設定部を複数備えたものである際には、付帯情報設定部は、異なるオペレータにより付帯情報を設定することができることにより、法廷への証拠資料であるか否かの判定を複数人で判定することで早期に準備作業を行うことを可能にする。
【図面の簡単な説明】
【００４０】
【図１】本発明の第１の実施形態におけるフォレンジックシステムの構成を表す機能ブロック図
【図２】本発明のフォレンジックシステムサービスの流れを表す図
【図３】本発明のフォレンジックシステムの処理フローを表す図
【図４】本発明の第２の実施形態におけるフォレンジックシステムの構成を表す機能ブロック図
【符号の説明】
【００４１】
１      フォレンジックシステム
２〜５  コンピュータ（ＰＣ）
１０    サーバ
２０    デジタル情報取得部
３０    記録部
４０    表示部
４５    表示制御部
５０    利用者指定部
６０    デジタル文書情報抽出部
７０    付帯情報設定部
８０    テキスト情報取得部
９０    キーワード指定部
９５    利用者特定情報設定部
１００  検索部
１１０  データ変換部
１２０  出力部
１３０  統計データ作成部
１４０  計時部
１５０  ＣＰＵ
１６０  制御部
１７０〜１７２  クライアントＰＣ
【発明を実施するための最良の形態】
【００４２】
以下、本発明の実施の形態について、図面を参照しながら説明する。
【００４３】
図１は、本発明の実施形態におけるフォレンジックシステム１の構成を表す機能ブロック図である。
【００４４】
図１に示すフォレンジックシステム１は、複数のコンピュータ（ＰＣ２〜５）およびサーバ１０に記録されたデジタル情報を取得し、取得されたデジタル情報を分析するフォレンジックシステム１において、複数の文書ファイルにより構成されるデジタル文書情報と、複数のコンピュータ（ＰＣ２〜５）またはサーバ１０を利用する利用者に関する利用者情報とを含むデジタル情報を取得するデジタル情報取得部２０と、デジタル情報取得部２０により取得されたデジタル情報を記録する記録部３０と、記録されたデジタル情報を表示する表示部４０と、表示部４０を確認して（介して）、複数の文書ファイル毎に、利用者情報に含まれる利用者のうちいずれの利用者に関連するものであるかを示す利用者特定情報を設定し、該設定された利用者特定情報を記憶部３０に記録するように設定する利用者特定情報設定部９５と、表示部４０を介して、少なくとも一人以上の利用者を指定する利用者指定部５０と、指定された利用者に対応する利用者特定情報が設定された文書ファイルを検索する検索部１００と、表示部４０を介して、検索された文書ファイルが、訴訟に関連するものであるか否かを示す付帯情報を設定する付帯情報設定部７０と、付帯情報に基づき、訴訟に関連する文書ファイルを出力する出力部１２０を備えたものである。
【００４５】
制御部１６０は、表示制御部４５、デジタル文書情報抽出部６０、テキスト情報取得部８０、管理部８５、検索部１００、データ変換部１１０、統計データ作成部１３０、計時部１４０、ＣＰＵ１５０を備えるものである。
【００４６】
また、フォレンジックシステム１は、キーボード、マウスおよび表示部４がタッチパネル機能を備えるときにはタッチパネルなどのデータ入力装置を備え、このデータ入力装置として、利用者指定部５０、付帯情報設定部７０、キーワード指定部９０、利用者特定情報設定部９５がある。
【００４７】
利用者情報は、コンピュータおよび／またはサーバに記録された利用者を示すものであって、コンピュータまたはサーバの利用をした者はだれであるかを示す利用者ＩＤであったり、文書ファイルを実際に編集、作成、閲覧いずれかの利用を行った者を示す情報であったり、どの時期にその利用者がどのデジタル文書情報にアクセスしたかを示すアクセス情報とを含むものであってもよい。
【００４８】
利用者指定部５０、付帯情報設定部７０、キーワード指定部９０および利用者特定情報設定部９５が、それぞれ別のデータ入力装置であってもよいし、同一のデータ入力装置であってもよい。
【００４９】
また、出力部１２０は、電子媒体にデータを記録する記録装置またはプリンタ等である。
【００５０】
なお、図１に示すようなフォレンジックシステム１の構成は、補助記憶装置（不図示）に読み込まれたフォレンジックプログラムをコンピュータ上でＣＰＵ１５０により計算・実行することにより実現される。このとき、このフォレンジックプログラムは、ＣＤ−ＲＯＭ等の記憶媒体に記憶され、もしくはインターネット等のネットワークを介して配布され、コンピュータにインストールされるものである。
【００５１】
以下、本発明の第１の実施形態では、フォレンジックシステム１はパーソナルコンピュータとして説明するが、フォレンジックシステム１は、サーバ、携帯端末型のコンピュータ機等であってもよいし、後述する第２の実施形態のようなネットワーク型のシステム構成であってもよい。
【００５２】
利用者特定情報設定部９５は、表示部を介して、複数の文書ファイル毎に、利用者情報に含まれる利用者のうちいずれの利用者に関連するものであるかを示す利用者特定情報を設定し、該設定された利用者特定情報を記憶部３０に記録するものである。なお、複数のコンピュータおよびサーバに記録された利用者情報では必ずしも訴訟に関連する利用者を網羅することができない場合があるため、オペレータの指示により、新たな利用者を手動により追加設定することも可能である。
【００５３】
利用者特定情報設定部９５は、文書ファイル毎にどの利用者が利用されたものであるかを設定するものである。例えば、利用者特定情報設定部９５は、文書ファイルに対して、複数の利用者が関連するものであることを示す利用者情報を設定するものであってもよい。一つの文書ファイルが一人の利用者に関連するものとして設定してもよいし、一つの文書ファイルに対して、複数の利用者が利用するものであるように設定してもよい。また、利用者特定情報設定部９５は、文書ファイルに対して、複数の利用者それぞれに関連するものであることと、複数の利用者それぞれの相対的な訴訟に関連する度合いの順位を示す順位付け情報とを利用者特定情報に設定することができるものであってもよい。これにより、一つの文書ファイルに複数の利用者を設定しつつ、その設定された利用者間でどの利用者が、訴訟において関連性が高いかを示す順位を設定することができる。また、利用者特定情報設定部９５が、更に、順位付け情報の順位を指定するものであって、検索部１００が、指定された順位を有する利用者に対応する利用者特定情報が設定された文書ファイルを検索するものであってもよい。
【００５４】
デジタル情報取得部２０は、利用者が利用していたＰＣ２〜５またはサーバ１０に記録されたデジタル情報を取得するものである。
【００５５】
例えば、デジタル情報取得部２０は、ＰＣ２〜５またはサーバ１０に記録されたデジタル情報をある電子媒体（例えば、ＵＳＢ、ＣＤ、ＤＶＤ等）にコピーし、当該電子媒体を介してフォレンジックシステムに、デジタル情報をコピーさせる。
【００５６】
また、ＰＣ２〜５またはサーバ１０と、フォレンジックシステム１とをネットワーク回線を介して接続した場合、デジタル情報取得部２０は、ＰＣ２〜５またはサーバ１０に記録されたデジタル情報を、ネットワークを介してデータ送信を受け付けることにより、デジタル情報の保全収集を行う。
【００５７】
デジタル情報取得部２０は、サーバ１０とは異なるサーバ（第二のサーバという）に記録された、第二のデジタル文書情報および第二の利用者情報を含む第二のデジタル情報を取得するものであって、フォレンジックシステム１は、デジタル文書情報のみならず、第二のデジタル文書情報を構成する複数の文書ファイルを検索するものであってもよい。
【００５８】
また、デジタル情報収集部１０は、サーバ１０とは異なるサーバ（第二のサーバという）に記録された、第二のデジタル文書情報、第二の利用者情報および第二のアクセス履歴情報を含む第二のデジタル情報を取得するものであってもよい。
【００５９】
フォレンジックシステム１は、更に、記録されたデジタル文書情報から、複数の文書ファイル毎にテキスト情報を抽出するテキスト情報抽出部８０と、キーワードを指定するキーワード指定部９０と、抽出されたテキスト情報に基づいて、指定されたキーワードを含む文書ファイルを検索する検索部１００とを備えたものである。
【００６０】
この付帯情報設定部７０が、検索部１００が検索された文書ファイルに対して、付帯情報を設定するものである。
【００６１】
フォレンジックシステム１は、更に、記録部３０により記録されたデジタル文書情報の文書ファイルを所定のデータ形式に変換するデータ変換部１１０を備え、データ変換部１１０により変換された文書ファイルが、出力部１２０により出力される前までの間、変換されたデータ形式と同一のまま処理されることを特徴とするものである。
【００６２】
フォレンジックシステム１は、更に、取得されたデジタル文書情報のデータ形式毎のデータ容量から表わされる統計データ、また検索部１００により検索されたデジタル文書情報のデータ形式毎のデータ容量から表わされる統計データを作成する統計データ作成１３０部を備えたものである。
【００６３】
フォレンジックシステム１は、更に改めてデジタル情報を取得する際に、その取得する日時を計時する計時部１４０を備え、デジタル情報は、更にデジタル文書情報を保管するフォルダ情報を備えるものであって、デジタル情報取得部２０は、以前に計時部１４０により計時された日時より以後に作成された、デジタル文書情報およびフォルダ情報を取得し、該取得されたデジタル文書情報およびフォルダ情報に関連する、利用者情報を取得する。
【００６４】
このデジタル情報は、デジタル文書情報と、利用者情報と、更にこのデジタル文書情報を保管するフォルダ情報を備えるものであってもよい。
【００６５】
計時部１４０は、デジタル情報取得部２０によりデジタル情報を取得した際の日時を計算する。
【００６６】
表示部４０は、制御部１６０に構成される表示制御部４５の指示により表示内容を表示する。
【００６７】
デジタル情報取得部２０は、ｎ回目（ｎ＝２，３，・・・）にデジタル情報を取得する際、ｎ−１回目にデジタル情報を取得した時点の計時部１４０により計時された日時を表わす情報から、その日時情報より以後にＰＣ２〜５またはサーバ１０に作成された、デジタル文書情報およびフォルダ情報を取得するものである。その際に、該取得されたデジタル文書情報およびフォルダ情報を取得し、取得されたデジタル文書情報に関連する利用者情報を更に取得するものであってもよい。サーバ１０は、単数以上のサーバであって、例えば、複数のサーバにより構成されるものであってもよく、少なくともメールサーバ、ファイルサーバ、文書管理サーバのいずれか２つ以上であってもよい。
【００６８】
フォレンジックシステム１は、更に複数のオペレータが同時に利用できるものであってもよい。
【００６９】
付帯情報設定部７０は、複数のデータ入力装置により構成されるものであってもよく、その複数の付帯情報設定部７０に対応する複数の表示部４０をそれぞれ用意してもよい。
【００７０】
そして、複数のオペレータがデジタル文書情報を同時に確認しながら、複数の付帯情報設定部７０を介して、付帯情報を設定することができる。
【００７１】
出力部１２０は、デジタル文書情報を何らかのプロダクションとして出力するものであって、例えば、プリンタまたは、電子媒体にデジタル情報を記録する記録装置であればよい。
【００７２】
以下、図２のサービスフローを参照しながら、フォレンジックシステム１の法廷への証拠資料提出のための準備作業を行う手順を簡単に説明する。
【００７３】
まず、フォレンジックという不正アクセスや機密情報漏洩などコンピュータに関する犯罪や法的紛争が生じた際に、原因究明や捜査に必要な機器やデータ、電子的記録を収集・分析し、その法的な証拠性を明らかにする必要がある。
【００７４】
特に、米国民事訴訟では、ｅＤｉｓｃｏｖｅｒｙ（電子証拠開示）等が求められており、当該訴訟の原告および被告のいずれもが、関連するデジタル情報をすべて証拠として提出する責任を負うため、コンピュータやサーバに記録されたデジタル情報を証拠として、提出しなければならない。
【００７５】
そこで、フォレンジックシステム１は、訴訟に関連するデジタル情報を選別し、法廷への証拠資料提出のための準備作業を行うべく、ＰＣ２〜５やサーバ１０に記録されたデジタル情報を保全収集（Ｐｒｅｓｅｒｖａｔｉｏｎ）する。
【００７６】
その後、フォレンジックシステム１は、保全収集したデジタル情報を記録部３０のようなデータベースに登録し、デジタル情報を分析（Ａｎａｌｙｓｉｓ）し、キーワード検索やフィルタ処理により、細分化する。
【００７７】
この記録部３０は、フォレンジックシステム１のコンピュータに含める構成であってもよいし、コンピュータとは別体としてサーバに保存してもよい。
【００７８】
そして、フォレンジックシステム１は、細分化したデジタル情報を表示部４０上でレビュー（Ｒｅｖｉｅｗ）し、オペレータが付帯情報設定部７０を介して、デジタル文書情報に対して付帯情報を設定する。
【００７９】
制御部１６０は、保全収集分析機能、処理分析検索機能、Ｒｅｖｉｅｗ機能、Ｐｒｏｄｕｃｔｉｏｎ機能を有する。
【００８０】
例えば、制御部１６０の保全収集分析機能は、案件毎のデータ管理が可能となるようにＣａｓｅ管理機能（管理部８５の機能）、対象者・証拠物毎にファイルの種類や所持量の分析ができ、検索対象ファイルの分析も可能とするファイル分析機能（検索部１００の機能）、検索・閲覧対象となるファイルタイプの選択可能とするファイル種類選択抽出機能（デジタル文書情報抽出部６０の機能）、選択したファイルを別ファイルとして保全収集が可能となる保全収集機能（データ変換部１１０）を有する。また、制御部１６０の処理分析検索機能は、全文検索機能と、頻出語句トップ抽出機能を有する（検索部１００の機能）。この全文検索機能は、多言語に対応し、Ｂｏｏｌｅａｎ演算により、ＡＮＤ  ＯＲ  ＮＯＴ検索を可能とし、Ｇｒｏｕｐｉｎｇ演算によりカッコを用いた検索を可能とし、検索した語句のハイライト表示機能、Ｍｅｔａ  Ｄａｔａにする機能等を有する。また、全文検索機能は、高度検索機能を有し、近傍検索や正規表現検索等を可能とする。頻出語句トップ抽出機能は、あるデジタル文書情報内部における頻出語句を抽出するものである。
【００８１】
また、制御部１６０のＲｅｖｉｅｗ機能は、例えば、Ｅ−ｍａｉｌ  Ｆａｍｉｌｙをまとめて閲覧できるＥ−ｍａｉｌ  Ｆａｍｉｌｙ閲覧処理機能（検索部１００の機能）や、１つの評価または複数の評価を付帯情報として設定されたものを当該評価に基づいて検索できる自由設計Ｔａｇ機能（検索部１００の機能）、階層構造ＢｏｏｋＭａｒｋ設定されたもののＢｏｏｋＭａｒｋ検索を可能とする自由設計ＢｏｏｋＭａｒｋ機能（検索部１００の機能）、任意の文字数入力可能なコメント欄を設けた自由入力コメント欄（管理部８５の機能）、上述した複数のオペレータがデジタル文書情報を確認するための同時閲覧機能、ＲｅＶｉｅｗする際、閲覧者のアカウント毎に、Ｃａｓｅ毎のアクセス権、管理者権限、閲覧のみ権限等の設定可能にしたアクセス権制御機能（管理部８５の機能）、デジタル文書情報の本文に変更を加えずに文書内に書き込みを可能とする文書内書き込みＭｅｍｏ機能（管理部８５の機能）、Ｒｅｖｉｅｗ完了文書数（％）表示を可能とするＣａｓｅ  Ｍａｎａｇｅｍｅｎｔ機能（管理部８５の機能）、Ｅ−ｍａｉｌスレッド（返信、転送等）を一括表示するＥ−ｍａｉｌ  Ｔｈｒｅａｄｉｎｇ機能（管理部８５の機能）、メールのやり取りをグラフィカルに表示するメール分析表示機能（統計データ作成部１３０の機能）、Ｄｒａｆｔ、古いＶｅｒｓｉｏｎ等の類似文書を自動分類して表示する類似文書表示機能（管理部８５の機能）、類似文書の差の部分のみをハイライト表示する類似文書差分ハイライト機能（管理部８５の機能）、検索Ｈｉｔした語句の周辺部分のみを表示する検索Ｈｉｔ部分前後文章表示機能（検索部１００の機能）を有する。
【００８２】
また、制御部１６０のＰｒｏｄｕｃｔｉｏｎ機能は、実ファイル、メタ情報、Ｔａｇ情報等のＸＭＬ出力、ＣＳＶ出力、画像出力、各種ロードファイル出力の各種出力機能（管理部８５からの指示により、出力部１２０により出力できる機能）、選択された複数のデジタル文書情報の印刷するＢａｔｃｈ  Ｐｒｉｎｔｉｎｇ機能（管理部８５からの指示により、出力部１２０により出力できる機能）を有する。
【００８３】
最後に、フォレンジックシステム１は、出力部１２０により電子媒体にデータを生成するようにプロダクション（Ｐｒｏｄｕｃｔｉｏｎ）する。例えば、電子媒体にデータを記録する記録装置により、所定のフォーマットのデータ形式により、電子媒体に記録する。
【００８４】
次に、図３のフローチャートを参照しながら、フォレンジックシステム１の法廷への証拠資料提出のための準備作業を行う手順を詳細に説明する。
【００８５】
まず、デジタル情報取得部２０は、例えば、Ｗｏｒｄ形式、ＰＤＦ形式、ＰＰＴ形式、Ｅｘｃｅｌ形式のような汎用フォーマットによる文書ファイルからなるデジタル文書情報と、ＰＣ２〜５またはサーバ１０を利用する利用者に関する利用者情報とを含むデジタル情報を取得する（ＳＴ１）。
【００８６】
なお、利用者が利用するＰＣ２〜５は、例として４台で説明しているが、４台にかぎられたものではなく、複数のＰＣであればよい。
【００８７】
次に、デジタル情報取得部２０は、取得したデジタル情報を記録部３０に記録する（ＳＴ２）。表示部４０は、制御部１６０を介して、デジタル情報（デジタル文書情報、利用者情報、デジタル情報のタイトルだけを示す情報等の少なくともいずれかを指す）を表示することができる（ＳＴ３）。
【００８８】
例えば、表示部４０は、表示制御部４５からの指示に応じて、利用者情報およびデジタル文書情報を全て表示してもよいし、それらの情報のうち少なくとも一つを表示してもよいし、それらの情報の属性情報（例えば、利用者の氏名、文書ファイルのファイル名、等）のうち少なくとも一つを表示してもよい。
【００８９】
例えば、オペレータは、表示部４０の画面を確認しながら、フォレンジックシステム１にログインし、更にＣａｓｅ（フォレンジックシステム１のデータベースの最上位のデータグループの単位）を作成する。また、オペレータは、表示部４０の画面を確認しながら、デジタル情報が記録された記録部３０に相当するサーバ等の接続先の設定と管理を行う（この場合、記録部３０は複数存在する）。また、オペレータは、表示部４０の画面を確認しながら、Ｃｕｓｔｏｄｉａｎ（データ保持対象者または利用者）の設定をし、管理をする。オペレータは、表示部４０の画面を確認しながら、情報収集および保全収集されたＴａｒｇｅｔ（フォレンジックシステム１のデータベースの中位のデータグループ単位）の作成と状態管理をする。後述するが、オペレータは、表示部４０の画面を確認しながら、情報収集および保全収集したＴａｒｇｅｔにＣｕｓｔｏｄｉａｎを関係付ける。例えば、オペレータは、表示部４０を確認しながら、ＰＣ２〜５またはサーバから取得したデジタル文書情報から構成される複数のＴａｒｇｅｔに対して、どの利用者が訴訟に関連したかを予め設定する。  制御部１６０は、記録部３０に記録されたデジタル情報を取得し、各種機能部により、デジタル情報を分析することができる。
【００９０】
フォレンジックシステム１は、記録部３０に記録されたデジタル文書情報のデータ形式毎のデータ容量から表わされる統計データ、または検索部１００により検索されたデジタル文書情報のデータ形式毎のデータ容量から表わされる統計データを作成する統計データ作成部１１０を備えている。
【００９１】
例えば、オペレータは、表示部４０の画面を確認しながら、分析対象のＣｕｓｔｏｄｉａｎとそのＣｕｓｔｏｄｉａｎと対応づいたＴａｒｇｅｔ内から所定のＰａｔｈ（ディレクトリ）を選択し、Ｃｕｓｔｏｄｉａｎ毎のファイル数および容量の分析結果のリストを表示できる。また、オペレータは、表示部４０の画面を確認しながら、Ｐａｔｈ毎のファイル数および容量の分析結果のリストをチャートとして表示できる。更に、オペレータは、表示部４０の画面を確認しながら、Ｐａｔｈ（ディレクトリ）毎のファイル数および容量の分析結果をリスト表示できる。また、オペレータは、表示部４０の画面を確認しながら、Ｆｉｌｅ  Ｔｙｐｅ毎のファイル数および容量の分析結果のリストをチャートとして表示できる。また、オペレータは、表示部４０の画面を確認しながら、Ｆｉｌｅ  Ｔｙｐｅ毎のファイル数および容量の分析結果のリストを表示できる。
【００９２】
また、オペレータは、表示部４０の画面を確認しながら、Ｆｉｌｅ  Ｔｙｐｅ毎のファイル数および容量の分析結果のリストをチャートとして表示できる。更に、オペレータは、表示部４０の画面を確認しながら、テキスト検索可能なファイルのみをＦｉｌｅ  Ｔｙｐｅ毎のファイル数および容量の分析結果のリストをチャートとして表示できる。このテキスト検索可能なファイルは、予めテキスト情報取得部８０により、記録部３０に記録されたデジタル文書情報からテキスト情報が抽出可能なものに対して行われる。
【００９３】
次に、オペレータが、利用者特定情報設定部９５により、表示部４０を介して、複数の文書ファイル毎に、利用者情報に含まれる利用者のうちいずれの利用者（Ｃｕｓｔｏｄｉａｎ）に関連するものであるかを示す利用者特定情報を設定し、設定された利用者特定情報を記憶部３０に記録するように設定する（ＳＴ４）。具体的には、オペレータは、表示部４０の画面を確認しながら、情報収集および保全収集したＴａｒｇｅｔを構成する文書ファイルそれぞれに対して、利用者情報に含まれる利用者（利用者のコンピュータＩＤであってもよい、前述した情報であればいずれでもよい）から、いずれの利用者が訴訟に関連するかを関係付ける具体的には、オペレータが表示部４０を確認しながら、利用者情報から選定された利用者ＩＤ（もしくは利用者名）から文書ファイル毎に妥当な利用者ＩＤを付与するように設定する。なお、複数のコンピュータおよびサーバに記録鵜された利用者情報では必ずしも訴訟に関連する利用者を網羅することができない場合があるため、オペレータの指示により、新たな利用者を手動により追加設定することも可能である。
【００９４】
また、オペレータは、利用者特定情報設定部９５により、文書ファイルに対して、複数の利用者が関連するものであることを示す利用者特定情報を設定することもできる。一つの文書ファイルが一人の利用者に関連するものとして設定してもよいし、一つの文書ファイルに対して、複数の利用者が利用するものであるように設定してもよい。また、オペレータは、利用者特定情報設定部９５により、文書ファイルに対して、複数の利用者それぞれに関連するものであることと、複数の利用者それぞれの相対的な訴訟に関連する度合いの順位を示す順位付け情報とを利用者情報に設定することができるものであってもよい。これにより、一つの文書ファイルに複数の利用者を設定しつつ、その設定された利用者間でどの利用者が、訴訟において関連性が高いかを示す順位を設定することができる。また、オペレータは、利用者特定情報設定部９５により、更に、順位付け情報の順位を指定するものであって、検索部１００が、指定された順位を有する利用者に対応する利用者特定情報が設定された文書ファイルを検索するものであってもよい。
【００９５】
オペレータは、表示部４０を確認しながら、利用者指定部５０により、少なくとも一人以上の利用者（Ｃｕｓｔｏｄｉａｎ）を指定する（ＳＴ５）。例えば、予め、甲氏のコンピュータやサーバ利用時のＩＤ情報または氏名情報を利用者特定情報として、記憶部３０に記録されていることにより、表示部４０に甲氏のＩＤまたは甲氏、その他の者を選択できるようにする。
【００９６】
そして、オペレータはこの表示部４０の選択画面上で、特定の利用者を指定することで、文書ファイルを検索できる。
【００９７】
検索部１００は、指定された利用者に対応する利用者特定情報が設定された文書ファイルを検索する（ＳＴ６）。
【００９８】
例えば、オペレータが、利用者指定部５０により、Ｃｕｓｔｏｄｉａｎである甲氏を指定した場合、文書ファイルと利用者（Ｃｕｓｔｏｄｉａｎ）との関係が、利用者特定情報設定部９５により設定されているため、Ｔａｒｇｅｔ内の文書ファイルから、指定された利用者に関連する文書ファイルのみを抽出することも可能となっている。
【００９９】
なお、甲氏を例に説明したが、甲氏に加え、乙氏など複数のＣｕｓｔｏｄｉａｎを指定することもでき、甲氏および乙氏に関連する文書ファイルのみを抽出することができる。また、上述したように、甲氏・乙氏のＡＮＤ  ＯＲ  ＮＯＴ検索もできる。また、オペレータは、利用者指定部５０により、少なくとも一人以上の利用者に加え、順位付け情報の順位を指定することができる。これにより、検索部１００は、指定された順位を有する利用者に対応する利用者特定情報が設定された文書ファイルを検索する。
【０１００】
また、複数の利用者それぞれの相対的な訴訟に関連する度合いの順位を示す順位付け情報とを、利用者特定情報に設定された場合、例えば、オペレータは、利用者特定情報設定部９５により、特定の文書ファイルは、甲氏がもっとも関連するため、「１」番を設定し、乙氏は次に関連するため、「２」番を設定する。
【０１０１】
そして、オペレータは、検索する際に、例えば、Ｃｕｓｔｏｄｉａｎが乙氏であって、乙氏の順位が「２」番であるものを検索することができる。
【０１０２】
更に、オペレータは、検索部１００の機能により、表示部４０の画面を確認しながら、利用者による絞り込以外の検索を行うことができる。また、オペレータは、表示制御部４５の機能により、表示部４０の画面を確認しながら、簡易閲覧を行うことができる。オペレータは、この簡易閲覧により、デジタル文書情報の内容を把握できる。
【０１０３】
オペレータは、抽出されたデジタル文書情報の文書ファイルそれぞれが、訴訟に関連するものであるか否かを示す付帯情報を設定する（ＳＴ７）。
【０１０４】
具体的には、訴訟に関連する情報であれば、「Ｈｏｔ」、関連する可能性があるものは「Ｒｅｓｐｏｎｓｉｖｅ」とし、関連する可能性がないものは「Ｎｏｔ  Ｒｅｓｐｏｎｓｉｖｅ」として、ファイル毎にタグ（付帯情報）が付与される。具体的には、Ｂａｔｃｈリストのファイル行をクリックするとタグの入力が可能となる。
【０１０５】
そして、オペレータは、出力部１２０から、付帯情報に基づき、訴訟に関連する文書ファイルを出力するように指示する。オペレータの指示を受け付けたＣＰＵ１５０は、出力部１２０に対して、出力するように制御する。例えば、Ｈｏｔと付与された文書ファイルのみを出力しもよいし、ＨｏｔおよびＲｅｓｐｏｎｓｉｖｅと付与された文書ファイルを出力してもよい。
【０１０６】
出力部１２０は、ＣＰＵ１５０からの指示に基づき、付帯情報に基づき、訴訟に関連する文書ファイルを出力する（ＳＴ８）。
【０１０７】
また、フォレンジックシステム１は、複数のフォレンジックシステム用サーバにより構成されるものであって、デジタル情報抽出部と、検索部とがそれぞれ、フォレンジックシステム用サーバに分離されたものであり、更に、分離されたフォレンジックシステムがネットワークを介して、接続されたものであってもよい。
【０１０８】
また、第２の実施形態について、図４を参照しながら、説明する。
【０１０９】
フォレンジックシステム１は、図４に示すような、ネットワーク型のシステム構成であってもよい。第２の実施形態のフォレンジックシステム１は、第１の実施形態で説明したフォレンジックシステム１の各処理部と同様であるが、それぞれの処理部は複数のサーバに分散して配置されている。サーバ間は、ネットワークを介して接続されている。このため、国内にサーバを分散して配置してもよいし、国内外を問わずサーバを分散して配置してもよい。
【０１１０】
また、フォレンジックシステム１によれば、利用者指定部５０、付帯情報設定部７０、キーワード指定部９０および利用者特定情報設定部９５は、それぞれのクライアントＰＣ１７０〜１７２に備わるデータ入力装置が該当する。
【０１１１】
なお、表示部４０は、それぞれのクライアントＰＣ１７０〜１７２に該当する。そして、複数のクライアントＰＣとＵＩサーバとの間に、仮想クライアントサーバに一括してデータ送受信をまとめることにより、表示レスポンスの向上を可能とする。
【０１１２】
このようにして、第１の実施形態のようにコンピュータによりフォレンジックシステム１を構成してもよいし、第２の実施形態のようにネットワーク型のシステムによりフォレンジックシステム１を構成してもよい。
【０１１３】
フォレンジックシステム１によれば、複数の文書ファイル毎に、利用者情報に含まれる利用者のうちいずれの利用者に関連するものであるかを示す利用者特定情報を設定し、該設定された利用者特定情報を記憶部３０に記録するように設定し、少なくとも一人以上の利用者を指定し、指定された利用者に対応する利用者特定情報が設定された文書ファイルを検索し、表示部４０を介して、検索された文書ファイルが、訴訟に関連するものであるか否かを示す付帯情報を設定し、付帯情報に基づき、訴訟に関連する文書ファイルを出力することにより、取得された全てのデジタル文書情報を確認することなく、訴訟に関連する利用者毎に分類分けされたデジタル文書情報のみを抽出し、分析および確認することを可能にする。
【０１１４】
これにより、氾濫するデジタル文書情報の中でも、特定の者に関係するデジタル文書情報のみを抽出し、訴訟の証拠資料作成のための作業負荷の軽減を図ることができる。
【０１１５】
本発明のフォレンジックシステム及びフォレンジック方法並びにフォレンジックプログラムによれば、文書ファイルに対して、複数の利用者それぞれに関連するものであることを示す利用者特定情報を設定することにより、一つの文書ファイルに対して、複数の利用者が関連したものであることを設定することができる。
【０１１６】
フォレンジックシステム１によれば、文書ファイルに対して、複数の利用者それぞれに関連するものであることと、複数の利用者それぞれの相対的な訴訟に関連する度合いの程度を示す順位付け情報とを利用者特定情報に設定するに際し、一つの文書ファイルに対して、複数の利用者が関連したものであることと、その複数の利用者間でどの利用者が、訴訟において関連性が高いかを示す順位を予め設定することができる。
【０１１７】
フォレンジックシステム１によれば、検索部１００が、指定された順位を有する利用者に対応する利用者特定情報が設定された文書ファイルを検索するに際し、訴訟に関連する利用者であって、関連性の度合いの程度を示す順位である者が関連するデジタル文書情報を検索することができる。
【０１１８】
フォレンジックシステム１によれば、サーバ１０とは異なる第二のサーバに記録された、第二のデジタル文書情報および第二の利用者情報を含む第二のデジタル情報を取得するものであって、デジタル文書情報のみならず、第二のデジタル文書情報を構成する複数の文書ファイルを検索するに際し、複数のサーバに記録されたデジタル文書情報を漏れなく、分析および確認することを可能にする。
【０１１９】
フォレンジックシステム１によれば、更に、テキスト情報抽出部８０と、キーワード指定部９０と、検索部１００とを備え、付帯情報設定部７０が、検索された文書ファイルに対して、付帯情報を設定するに際し、サーバに記録されたデジタル文書情報のうち、特定の者がアクセスしたもののみであって、所定の検索により、訴訟に関連する可能性のあるデジタル文書情報の母集団を絞り込むことが可能になる。
【０１２０】
フォレンジックシステム１によれば、データ変換部１１０により変換された文書ファイルが、出力部１２０により出力される前までの間、変換されたデータ形式と同一のまま処理されるに際し、処理フローの中途でのデータフォーマット変換の無駄な工程を削減でき、デジタル文書情報の品質劣化のリスクを排除することができる。
【０１２１】
フォレンジックシステム１によれば、更に、統計データ作成部１３０を備えた際に、統計データをオペレータに可視化して提供できるため、訴訟準備に要する労力を早期に把握することができる。
【０１２２】
フォレンジックシステム１によれば、更に、デジタル情報取得部２０は、以前に計時部１４０により計時された日時より以後に作成された、デジタル文書情報およびフォルダ情報を取得するに際し、デジタル情報の差分収集を可能とし、毎回サーバ等から同一のデジタル情報を重複して取得する負荷を軽減することができる。フォレンジックシステム１によれば、付帯情報設定部を複数備えたものである際には、付帯情報設定部７０は、異なるオペレータにより付帯情報を設定することができることにより、法廷への証拠資料であるか否かの判定を複数人で判定することで早期に準備作業を行うことを可能にする。
【０１２３】
以上、本発明において実施形態を用いて説明したが、本発明の技術的範囲は上記実施の形態に記載の範囲には限定されない。上記実施の形態に、多様な変更または改良を加えることが可能であることは明らかである。その様な変更または改良を加えた形態も本発明の技術的範囲に含まれ得ることが、特許請求の範囲の記載から明らかである。
【０１２４】
また第１の実施形態と第２の実施形態のフォレンジックシステム１は、それぞれのシステム全体または、それぞれの各処理部を組み合わせて構成することができる。
【図１】
2011209931.tif 000003
【図２】
2011209931.tif 000004
【図３】
2011209931.tif 000005
【図４】
2011209931.tif 000006